(57)【要約】【課題】外装ケース又は封口板の透孔に対する溶接による封止に関し、溶接を均一化し、封止劣化を防止する。【解決手段】素子（コンデンサ素子４）を収容する外装ケース（６）又は該外装ケースの封口板（８）に形成された透孔（注液口３２）と、透孔を封止する封止体（封止ピン４４、封止板６４）と、外装ケース又は封口板の透孔の周囲部に設けられ、又は周囲部に対して封止体に設けられた突起部（環状突起部５０、６０）とを備え、封止体と、封口板又は外装ケースとの間に溶接電流を流して少なくとも突起部の一部又は全部を溶融させることにより、封止体で透孔を封止している。【選択図】図１
2012104685.tif 000002
【特許請求の範囲】
【請求項１】
素子を収容する外装ケース又は該外装ケースの封口板に形成された透孔と、
前記透孔を封止する封止体と、
前記外装ケース又は前記封口板の前記透孔の周囲部に設けられ、又は前記周囲部に対して前記封止体に設けられた突起部と、
を備え、前記封止体と、前記封口板又は前記外装ケースとの間に溶接電流を流して少なくとも前記突起部の一部又は全部を溶融させることにより、前記封止体で前記透孔を封止したことを特徴とする電子部品。
【請求項２】
前記封止体は、前記透孔に挿入される挿入部を備えたことを特徴とする、請求項１又は２に記載の電子部品。
【請求項３】
前記突起部は、前記透孔を包囲する環状突起であることを特徴とする、請求項１、２又は３に記載の電子部品。
【請求項４】
素子を収容する外装ケース又は該外装ケースの封口板に形成された透孔の周囲部に突起部を接触させて封止体を設置する工程と、
前記封止体と前記封口板又は前記外装ケースとの間に溶接電流を流して少なくとも前記突起部の一部又は全部を溶融させることにより、前記封止体で前記透孔を封止する工程と、
を含むことを特徴とする電子部品の製造方法。
【請求項５】
素子を収容する外装ケース又は該外装ケースの封口板に形成された透孔の周囲部に突起部を形成し、又は該周囲部に対して配置され前記透孔を封止する封止体に突起部を形成する工程と、
前記透孔に対し、前記突起部を介して前記封口板に前記封止体を設置する工程と、
前記封止体と前記外装ケース又は封口板との間に溶接電流を流して少なくとも前記突起部の一部又は全部を溶融させることにより、前記封止体で前記透孔を封止する工程と、
を含むことを特徴とする電子部品の製造方法。
【請求項６】
前記透孔を包囲する複数箇所に副電極を当てるとともに、前記封止体に主電極を当て、複数の前記副電極を用いて前記突起部に複数箇所から溶接電流を流すことを特徴とする請求項５に記載の電子部品の製造方法。
【発明の詳細な説明】
【技術分野】
【０００１】
本発明は、外装ケースに素子封入後、電解液注入処理等のために注液口を備え、その注液口の封止処理を伴う電解コンデンサ等の電子部品及びその製造方法に関する。
【背景技術】
【０００２】
フラットＬＣＤ・ＬＥＤＴＶでは、従来のブラウン管ＴＶ受像機に比較して大幅に薄型化されているが、このような薄型化機器では、搭載される電源装置にも小型化や薄型化が要求されている。このような電源装置では薄型平板形のコンデンサ等の電子部品が検討されている。
【０００３】
薄型平板形のコンデンサでは一般的に金属ケースが使用され、電解液を含浸したコンデンサ素子を挿入した後、その金属ケースと開口部に金属製の封口板を溶接し、金属ケースを封止している。ところで、コンデンサ素子に含浸された電解液が、コンデンサ素子を金属ケースに挿入する際、金属ケースの開口部に付着するおそれがある。電解液が付着している開口部を溶接によって封止する場合、その電解液が金属ケースと封口板の溶接を妨げ、溶接状態の劣化や、気密性の低下等のおそれがある。
【０００４】
電解液の含浸技術に関し、部品を収容した後、ケースを封口し、ケースに開口した注液口から電解液を含浸することが知られている（例えば、特許文献１）。このようにケースに注液口を形成している場合には、電解液の注液後、注液口の口径より大きい金属球を注液口に載せ、その金属球に電極棒を押し当てて電流を流して抵抗溶接を行い、溶けた金属球で注液口を塞いでいる。このように注液口からケースに電解液を注液し、ケースの封止部分に電解液を付着させなければ、その封止が電解液によって妨げられる不都合は回避される。
【先行技術文献】
【特許文献】
【０００５】
【特許文献１】特開平１１−１３５０８２号公報
【発明の概要】
【発明が解決しようとする課題】
【０００６】
ところで、このような金属材料で形成された部材にある透孔を抵抗溶接によって塞ぐ場合、金属球が用いられる。この金属球に主電極を押し当てて溶接電流を流す抵抗溶接では、主電極を金属球から離す際溶融した金属球が表面張力により主電極側に付着してしまい、透孔の封止に失敗する場合がある。
【０００７】
また、金属球を用いた場合、金属球と透孔側の部材との間の溶接強度に偏りが生じる。抵抗溶接では、金属球を押圧する主電極に対し、電流経路を確保する副電極が透孔の近傍に設置される。このため、溶接電流の多くが副電極側に流れるため、その電流経路に沿って溶接が進行し、副電極から遠ざかる位置では溶接電流が少なく、溶接状態が悪化し、これが溶接強度に偏りを生じさせる。場合によっては、封止劣化を生じる。
【０００８】
斯かる要求や課題について、特許文献１にはその開示や示唆はなく、それを解決する構成等についての開示や示唆はない。
【０００９】
そこで、本発明の電子部品及びその製造方法の目的は、外装ケース又は封口板にある透孔を溶接による封止に関し、溶接を均一化し、封止劣化を防止することにある。
【課題を解決するための手段】
【００１０】
上記目的を達成するため、本発明の電子部品は、素子を収容する外装ケース又は該外装ケースの封口板に形成された透孔と、前記透孔を封止する封止体と、前記外装ケース又は前記封口板の前記透孔の周囲部に設けられ、又は前記周囲部に対して前記封止体に設けられた突起部と、を備え、前記封止体と、前記封口板又は前記外装ケースとの間に溶接電流を流して少なくとも前記突起部の一部又は全部を溶融させることにより、前記封止体で前記透孔を封止している。
【００１１】
上記目的を達成するためには、上記電子部品において、前記封止体は、前記透孔に挿入される挿入部を備えてもよい。
【００１２】
上記目的を達成するためには、上記電子部品において、前記突起部は、前記透孔を包囲する環状突起であってもよい。
【００１３】
上記目的を達成するため、本発明の電子部品の製造方法は、素子を収容する外装ケース又は該外装ケースの封口板に形成された透孔の周囲部に突起部を接触させて封止体を設置する工程と、前記封止体と前記封口板又は前記外装ケースとの間に溶接電流を流して少なくとも前記突起部の一部又は全部を溶融させることにより、前記封止体で前記透孔を封止する工程とを含んでいる。
【００１４】
上記目的を達成するため、本発明の電子部品の製造方法は、素子を収容する外装ケース又は該外装ケースの封口板に形成された透孔の周囲部に突起部を形成し、又は該周囲部に対して配置され前記透孔を封止する封止体に突起部を形成する工程と、前記透孔に対し、前記突起部を介して前記封口板に前記封止体を設置する工程と前記封止体と前記外装ケース又は封口板との間に溶接電流を流して少なくとも前記突起部の一部又は全部を溶融させることにより、前記封止体で前記透孔を封止する工程とを含んでいる。
【００１５】
上記目的を達成するためには、上記電子部品の製造方法において、前記透孔を包囲する複数箇所に副電極を当てるとともに、前記封止体に主電極を当て、複数の前記副電極を用いて前記突起部に複数箇所から溶接電流を流してもよい。
【発明の効果】
【００１６】
本発明によれば、次の何れかの効果が得られる。
【００１７】
(1) 外装ケース又は封口板にある透孔を溶接による封止に関し、溶接を均一化し、封止劣化を防止することができる。
【００１８】
(2) 封止体の突起部を溶接電流によって溶融させ、封止体によって透孔を封止することができる。
【００１９】
(3) 封止部分の偏りを防止でき、封止強度を向上させることができるとともに、封止精度を高めることができる。
【００２０】
そして、本発明の他の目的、特徴及び利点は、添付図面及び各実施の形態を参照することにより、一層明確になるであろう。
【図面の簡単な説明】
【００２１】
【図１】第１の実施の形態に係るコンデンサの一例を示す分解斜視図である。
【図２】密閉された外装ケースへの電解液の注入を示す図である。
【図３】封止ピン及び封止ピンが設置された注液口の一例を示す図である。
【図４】溶接方法及び溶接状態を示す図である。
【図５】第２の実施の形態に係る封口板側の環状突起部及び封止板の一例を示す図である。
【図６】金属球を用いた比較例を示す図である。
【発明を実施するための形態】
【００２２】
〔第１の実施の形態〕
【００２３】
第１の実施の形態は、電子部品の一例としてコンデンサの外装ケースを封口する封口板の注液口の封止を開示している。この実施の形態では、封止体側に環状突起部を備えている。
【００２４】
このコンデンサについて、図１及び図２を参照する。図１はコンデンサの一例を示し、図２は密閉された外装ケースへの電解液の注入を示している。図１及び図２に示す構成は一例であって、本発明は斯かる構成に限定されない。
【００２５】
コンデンサ２は、本発明の電子部品の一例である。図１に示すコンデンサ２は、電気二重層コンデンサ又は電解コンデンサの何れでもよく、コンデンサ素子４と、外装ケース６と、封口板８とを備える。コンデンサ素子４は複数の陽極箔１０と、陰極箔１２とを備え、これら陽極箔１０と陰極箔１２をセパレータ１４を介在させて交互に重ね合わせた積層素子であって、偏平薄型である。陽極箔１０及び陰極箔１２には電極材料としてアルミニウム板やアルミニウム箔が用いられ、各陽極箔１０の表面には拡面処理層及び酸化皮膜層が形成され、陰極箔１２の表面には酸化被膜層及び必要に応じて拡面処理層が形成されている。
【００２６】
各陽極箔１０には陽極タブ１８が形成され、コンデンサ素子４の素子端面２０の同一箇所に引き出されている。また、各陰極箔１２には陽極箔１０側とは異なる位置に陰極タブ２２が形成され、コンデンサ素子４の素子端面２０の同一箇所に引き出されている。即ち、陽極タブ１８及び陰極タブ２２はそれぞれ個別に重ねられ、陽極タブ１８と陰極タブ２２との間に絶縁間隔２４が設定され、コンデンサ素子４の素子端面２０に設置されている。
【００２７】
外装ケース６は、コンデンサ素子４を収容可能な容積空間を持った容器であり、その形態は、偏平な長方形状の開口部２６を備えた有底角筒体である。この外装ケース６は、電極材料と同一の基材である例えば、アルミニウム板で形成されている。
【００２８】
封口板８は、外装ケース６の開口部２６を塞ぐ閉塞手段であって、この実施の形態では、外装ケース６の開口部２６の内形状又は開口部２６側の端面形状に応じて形成されている。この封口板８は、外装ケース６と同様に電極材料と同一の基材である例えば、アルミニウム板、即ち、外装ケース６と同一材料で形成されている。
【００２９】
この封口板８には、陽極端子２８と陰極端子３０とが設置されているとともに、注液口３２が形成されている。
【００３０】
陽極端子２８及び陰極端子３０は外部接続のための端子であって、陽極端子２８にはコンデンサ素子４の陽極タブ１８が溶接により接続され、陰極端子３０にはコンデンサ素子４の陰極タブ２２が溶接により接続されている。陽極端子２８及び陰極端子３０は、封口板８に形成された端子口３４、３６に絶縁材料である例えば、ゴム環３８を介在させて固定されている。
【００３１】
注液口３２は、封口板８を貫通させた円形の透孔であって、図２に示すように、コンデンサ素子４が収容された外装ケース６の開口部２６を封口板８で封口した後、密閉状態にある外装ケース６内に電解液４０の注入に用いられる。電解液４０の注入にはディスペンサ４２等の注入手段が用いられ、注入された電解液４０がコンデンサ素子４に含浸される。
【００３２】
そして、注液口３２の封止には封止ピン４４が用いられ、この封止ピン４４は注液口３２を封止する封止体の一例であって、封口板８と同一の金属材料で形成される。注液口３２の封止処理には溶接が用いられる。溶接には抵抗溶接が用いられ、封口板８に封止ピン４４を溶着させることによって注液口３２を封止することができる。
【００３３】
次に、封止ピン４４及び封口板８の注液口３２について、図３を参照する。図３は封止ピン及び封止ピンが設置された注液口の一例を示している。図３に示す構成は一例であって、本発明は斯かる構成に限定されない。
【００３４】
この封止ピン４４は図３のＡ及びＢに示すように、例えば、円盤状のベース部４６を備え、このベース部４６の中心部に注液口３２に挿入可能な支柱部４８を備えている。図３のＢは図３のＡのIII Ｂ−III Ｂ線断面である。支柱部４８は、注液口３２に挿入可能な外径ｒ1 を持つ円柱状部である。ベース部４６には、支柱部４８を中心に支柱部４８を包囲する環状突起部５０が形成され、この環状突起部５０は断面三角形状であって、先端部径ｒ2 は、図３Ｃに示す注液口３２の内径ｒ3 より大きく設定されている。従って、注液口３２に封止ピン４４の支柱部４８を挿入すれば、図３のＣに示すように、注液口３２の周囲部に封止ピン４４の環状突起部５０を接触させて設置させることができる。
【００３５】
次に、抵抗溶接処理について、図４を参照する。図４は溶接方法及び溶接状態を示している。図４に示す構成は一例であって、本発明は斯かる構成に限定されない。
【００３６】
この抵抗溶接処理は、本発明の電子部品の製造方法の一例であって、この溶接処理では封口板８の注液口３２に図４のＡに示すように、封止ピン４４を設置し、この封止ピン４４のベース部４６に溶接装置５２の主電極５４が設置される。封口板８には副電極５６が設置されて、それぞれ電気的な導通が取られる。そして、主電極５４と副電極５６との間には溶接用電源として直流電源５８が接続される。主電極５４及び副電極５６を構成する電極材料は、抵抗が低いものであればよい。材質は溶接材料である封止ピン４４との相性で適宜決定すればよく、例えば、モリブデン、クロム鋼、タングステン等を用いることができる。
【００３７】
主電極５４を封止ピン４４に押圧しながら通電すると、主電極５４と副電極５６との間に溶接電流Ｉｓが流れる。この溶接電流Ｉｓは直流電流であり、主電極５４から封止ピン４４側の環状突起部５０と封口板８との接触部分を経て副電極５６に至る。
【００３８】
この溶接電流Ｉｓは、封止ピン４４側の環状突起部５０と封口板８との間はオーム接触であり、図４のＢに示すように、主電極５４から環状突起部５０を介して副電極５６に流れ、局所的な集中が生じない。
【００３９】
この溶接電流Ｉｓによりジュール熱が発生し、ジュール熱で環状突起部５０とともに、環状突起部５０と封口板８の接触部及びその近傍が溶融する。この結果、図４のＣに示すように、封止ピン４４の環状突起部５０が封口板８内に侵入して一体化され、注液口３２が封止ピン４４によって封止される。
【００４０】
このような封止ピン４４を用いれば、環状突起部５０を備えているので、環状突起部５０及びその近傍部分に溶接電流Ｉｓを集中させることができ、金属の溶融範囲を環状突起部５０及びその近傍部分（封口板８の接触部分）に限定することができる。そして、溶接範囲が特定範囲に制御できるとともに、溶接不良を防止でき、封止ピン４４による注液口３２の封止強度を高め、外装ケース６の気密性を向上させることができ、コンデンサ２の信頼性が高められる。
【００４１】
また、この実施の形態では、封止ピン４４に支柱部４８を備えているので、この支柱部４８で封止ピン４４が注液口３２を塞ぐ位置に位置決めされて固定され、溶接の際に封止ピン４４の位置的変位を防止でき、溶接の信頼性が高められる。
【００４２】
〔第２の実施の形態〕
【００４３】
第２の実施の形態は、封口板の注液口の周囲に環状突起部を備えている。
【００４４】
この第２の実施の形態について、図５を参照する。図５は封口板側の環状突起部及び封止板の一例を示している。図５に示す構成は一例であって、本発明は斯かる構成に限定されない。図５において、図１〜図４と同一部分には同一符号を付してある。
【００４５】
第１の実施の形態では、封止ピン４４側に環状突起部５０を備えたが、この環状突起部５０に代えて、図５のＡに示すように、封口板８の注液口３２の周囲部に環状突起部６０を備えてもよい。この環状突起部６０は、注液口３２を中心に注液口３２を包囲する。この環状突起部６０は図５のＢに示すように、一例として、断面形状が三角形状であって、先端部径ｒ２は注液口３２の内径ｒ３より大きく設定されている。
【００４６】
このような環状突起部６０を備えた場合、既述の封止ピン４４に代え、円盤状の封止板６４を用いればよい。封止板６４は、注液口３２を封止する封止体の一例である。この封止板６４は、既述の封止ピン４４のベース部４６（図３）のみで構成された形状と同一又は近似である。
【００４７】
このように、注液口３２の周囲部に環状突起部６０を備えれば、円盤状の封止板６４を図５のＢに示すように、注液口３２の周囲部にある環状突起部６０に封止板６４を接触させて載置させればよい。
【００４８】
なお、封止板６４には、図５のＣに示すように、封止ピン４４と同様に支柱部６６を中心部に備え、この支柱部６６を注液口３２に挿入させて支持する構成であってもよい。
【００４９】
このように注液口３２の周囲部に環状突起部６０を備えた場合、その抵抗溶接処理では、注液口３２の環状突起部６０に封止板６４を設置し、この封止板６４上に第１の実施形態と同様に、溶接装置５２の主電極５４が設置される。封口板８には副電極５６が設置されてそれぞれ電気的な導通が取られる。
【００５０】
主電極５４を封止板６４に押圧しながら通電すれば、主電極５４と副電極５６との間に溶接電流Ｉｓが流れる。これにより、環状突起部６０とともに、環状突起部６０に接触している封止板６４の接触部及びその近傍が溶融する。この結果、封口板８側の環状突起部６０が封止板６４内に侵入して一体化され、注液口３２が封止板６４によって封止される。
【００５１】
このような封口板８を用いれば、環状突起部６０を備えているので、環状突起部６０及びその近傍部分に溶接電流Ｉｓを集中させることができ、金属の溶融範囲を上記実施の形態と同様に環状突起部６０及びその近傍部分（封口板８の環状突起６０の部分及び封止板６４）に限定することができる。溶接範囲が特定範囲に制御できるとともに、溶接不良を防止でき、封止板６４による注液口３２の封止強度を高め、上記実施の形態と同様に、外装ケース６の気密性を向上させることができ、コンデンサ２の信頼性が高められる。
【００５２】
〔第３の実施の形態〕
【００５３】
第３の実施の形態は電子部品の製造方法の一例としてコンデンサの製造方法を開示している。
【００５４】
この製造工程は、本発明の電子部品の製造方法の一例である。コンデンサ２の製造工程には、コンデンサ素子４の形成工程、外装ケース６への封入工程、電解液含浸工程及び注液口封止工程が含まれる。
【００５５】
コンデンサ素子４の形成工程では、例えば図１に示すように、複数枚の長方形状の陽極箔１０と、陰極箔１２とを形成するとともに、各陽極箔１０及び陰極箔１２の例えば、長手方向の縁部に陽極タブ１８及び陰極タブ２２を形成し、陽極箔１０と陰極箔１２をセパレータ１４を介在させて交互に重ね合わせ、コンデンサ素子４を形成する。
【００５６】
このコンデンサ素子４の陽極タブ１８及び陰極タブ２２を封口板８に設けた陽極端子２８及び陰極端子３０と溶接等により接続する。即ち、コンデンサ素子４と封口板８とが連結された部品を形成する。封口板８には、既述の注液口３２を予め形成しておく。
【００５７】
外装ケース６への封入工程では、外装ケース６にコンデンサ素子４を収容し、外装ケース６の開口部２６側に封口板８を設置し、外装ケース６と封口板８とを溶接により接続し、外装ケース６を密封する。
【００５８】
電解液含浸工程では、外装ケース６に固定された封口板８の注液口３２から図２に示すように、ディスペンサ４２等により所定量の電解液４０を注入する。
【００５９】
注液口封止工程では、封止ピン４４又は封止板６４を用いることにより、溶接により注液口３２を封止する。この詳細は図４に示した通りであるので、その詳細説明は省略する。
【００６０】
〔他の実施の形態〕
【００６１】
(1) 環状突起部５０について
【００６２】
封止ピン４４の環状突起部５０に関し、その断面が半球形又は放物面であってもよく、また、環状突起部５０の先端部に幅の狭い立壁部を備えてもよい。封止ピン４４の環状突起部５０は、注液口を囲む形状に形成すればよく、例えば、多角形状であってもよい。
【００６３】
このような環状突起部５０の変形形態は、封口板８側にある環状突起部６０についても同様である。
【００６４】
また、ベース部４６や封止板６４の形状も、注液口３２を塞ぐ形状であれば、円盤状に限らず、多角形状であってもよい。
【００６５】
また、実施例において環状突起部６０は、封止ピン４４側若しくは封口板８側のどちらかに備えているが、これに限らず、封止ピン４４側及び封口板８側の双方に備えてもよい。例えば、内径の異なる環状突起部６０を封止ピン４４と封口板８に備えることで、封止ピン４４を封口板８に設置した際、お互いの環状突起部６０によって、可動し難くなり、位置決めの精度が高くなる。また、封止ピン４４側及び封口板８側に設けた双方の環状突起部６０及びその近傍が溶融し、より密封精度を高めることができる。更に、封止ピン４４側若しくは封口板８側の一方に、凹部を設けた環状突起部を形成し、もう一方の環状突起部の先端を前記環状突起部の凹部に嵌合するように設置してもよい。
【００６６】
(2) 副電極５６の設置数及びその位置について
【００６７】
上記実施の形態では、主電極５４に対して副電極５６を単一電極で構成しているが、副電極５６を複数化し、注液口３２を中心にし、注液口３２を挟む複数の位置に設置し、溶接電流の通流経路を複数化してもよい。斯かる構成とすれば、溶接電流の偏りをより防止できる。
【００６８】
(3) 上記実施の形態では、封口板８に注液口３２を形成しているが、外装ケース６に注液口３２を形成し、電解液４０の注液後、第１の実施の形態又は第２の実施の形態により注液口３２を封止してもよい。
【００６９】
(4) 上記実施の形態では、コンデンサ素子４に積層型素子を例示したが、帯状体の陽極１０と陰極１２とを、両者間に介在させたセパレータ１４とともに巻回した巻回素子であってもよい。
【００７０】
(5) 上記実施の形態では、電子部品の一例としてコンデンサ２を例示したが、コンデンサ２は電気二重層コンデンサ、電解コンデンサが含まれる。また、コンデンサ以外の電子部品、例えば、リチウムイオン電池等の電気化学デバイスであってもよい。
【００７１】
(6) 上記実施の形態では、外装ケース６として有底角筒体を例示したが、開口部形状が楕円形状、長円形状等、コンデンサ素子４の形状によって適宜選択すれば良い。
【００７２】
(7) 上記実施例では、封口板８と封止体を同一の金属材料としたが、異なる金属材料を用いてもよい。
【００７３】
(8) 上記実施例では、透孔である注液口を単数としたが、複数個設けても良い。封口板８に複数の注液口３２を形成することで、注液の際、外装ケース６からケース内空気を排出することができる。
【００７４】
〔実験結果〕
【００７５】
既述の第１の実施の形態についての実験では、封止ピン４４を用いた抵抗溶接を行った。この実験には、封口板８及び封止ピン４４にアルミニウム材を使用し、注液口３２の口径は１．５〔ｍｍ〕とし、電極間ピッチ１２．５ｍｍ、１６ｍｍ、２０ｍｍ）とし、加圧力を１６〔ｋｇｆ〕〜２８〔ｋｇｆ〕とし、溶接電流値を６．０〔ｋＡ〕〜９．０〔ｋＡ〕とし、通電時間を５〔ｍｓｅｃ〕とした。
【００７６】
この実験の結果、溶接電流の片寄りは見られなかった。２０ショット程度での、封止ピン４４（ＡＬ）の電極側に対する付着の発生は確認されなかった。
【００７７】
〔比較例〕
【００７８】
比較例は、封口板８にある注液口３２の抵抗溶接による封止に金属球を用いた場合を示している。
【００７９】
この金属球による封止について、図６を参照する。図６は付着現象及び溶接電流の偏りを示している。
【００８０】
注液口の封止に金属球を用いた場合には、封口板１００の注液口１０２の口径より径大な金属球１０４を注液口１０２に挿入する。この金属球１０４に溶接装置１０６の主電極１０８を接触させ、封口板１００には副電極１１０を接触させ、これら主電極１０８と副電極１１０に電源装置１１２から通電する。
【００８１】
主電極１０８を金属球１０４に押圧しながら電流を流すと、溶接が進行するが、押圧後、主電極１０８を持ち上げた際に、溶融している金属球１０４が主電極１０８に付着し、注液口１０２の封止に失敗する場合がある。これは主電極１０８を押圧させて金属球１０４に電流を流すと、金属球１０４の溶融金属が図６のＡに矢印で示すように、主電極１０８側に流れ込みやすいためであると考えられる。また、このような溶融金属の主電極１０８側への流れ込みは、金属球１０４の形状が球形であることにも起因する。
【００８２】
また、金属球１０４を用いた注液口１０２の封止では、溶接強度に偏りが見られる。抵抗溶接を行う際、金属球１０４を押圧する主電極１０８と電流経路を確保する副電極１１０を注液口１０２の近傍に設置し、溶接電流Ｉｓを流して金属球１０４を溶融させる。この場合、副電極１１０に近い側には多くの溶接電流Ｉｓが流れ、副電極１１０が設置されていない側、即ち、副電極１１０から遠ざかった位置では溶接不良が生じる。
【００８３】
このような金属球を用いた注液口封止における課題は上記実施の形態により解決されている。
【００８４】
以上説明したように、本発明の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【００８５】
本発明の電子部品及びその製造方法は、注液口等の外装部材にある透孔の封止強度を高めることができ、有益である。
【符号の説明】
【００８６】
２  コンデンサ
４  コンデンサ素子
６  外装ケース
８  封口板
３２  注液口
４４  封止ピン
５０、６０  環状突起部
５２  溶接装置
５４  主電極
５６  副電極
【図１】
2012104685.tif 000003
【図２】
2012104685.tif 000004
【図３】
2012104685.tif 000005
【図４】
2012104685.tif 000006
【図５】
2012104685.tif 000007
【図６】
2012104685.tif 000008